(57)【要約】【課題】  マットの表面に複数のエアーバッグを並設配置し、これらのエアーバッグに空気を給排気してエアーバッグを膨張・収縮させることで、人体のマッサージを行うものにおいて、違和感の少ないより効果的なマッサージ効果が得られる様にする事を目的とするものである。【解決手段】  マット本体表面の長手方向に複数のエアーバッグを並設配置し、これらのエアーバッグにホースを接続し、これらホースによりエアーバッグ内に空気を給排気して膨張収縮を行うものにおいて、エアーバッグの並設方向の一端側の左右両端部を固定具により固定すると共に、これら固定部分に近接した左右方向の略中心位置にホースを接続して成る。【選択図】        図１
2006043058.tif 000002
【特許請求の範囲】
【請求項１】
マット本体表面の長手方向に複数のエアーバッグを並設配置し、これらのエアーバッグにホースを接続し、これらホースによりエアーバッグ内に空気を給排気して膨張収縮を行うものにおいて、上記エアーバッグの並設方向の一端側の左右両端部を固定具により固定すると共に、これら固定部分に近接した左右方向の略中心位置に上記ホースを接続した事を特徴とするエアーマッサージ装置。
【請求項２】
上記エアーバッグを、マット本体の長手方向に並設して一対一体に成型し、これらエアーバッグの区画部分の左右両端部を固定具により固定すると共に、これら固定部分に近接した左右方向の略中心位置に上記ホースを接続した事を特徴とする、上記請求項１に記載のエアーマッサージ装置。
【請求項３】
上記固定具を着脱自在に構成すると共に、この固定具の固定位置を変えることで、上記エアーバッグの位置をマット本体の長手方向に調節可能に構成した事を特徴とする、上記請求項１〜２に記載のエアーマッサージ装置。
【発明の詳細な説明】
【技術分野】
【０００１】
本発明は、マット本体の表面に複数のエアーバッグを並設配置し、これらのエアーバッグに空気を給排気することでエアーバッグを膨張収縮させ、マット本体の上に寝ている人体のマッサージを行うエアーマッサージ装置に関する。
【背景技術】
【０００２】
クッション材にて構成したマット本体の表面に複数のエアーバッグを並設配置し、これらのエアーバッグに空気を給排気することでエアーバッグを膨張収縮し、エアーバッグの上に寝ている人体のマッサージを行うものでは、例えば特許文献１に示される様に、エアーバッグの一端に空気の給排気を行うホースを接続している。
【特許文献１】特開平９−２２４９９２号公報
【発明の開示】
【発明が解決しようとする課題】
【０００３】
一方、上記特許文献１に記載の構成では、エアーバッグの一端にホースを接続している為、ホースを通してエアーバッグ内に空気を供給してエアーバッグを膨張させる際に、エアーバッグがホースの接続部分に近い部分から膨張して人体が左右に傾斜し、人体が違和感を感じ易いという問題がある。
【０００４】
そこで本発明は、エアーバッグを左右略均等に膨張させることで、より快適で効果的なマッサージ効果が得られる様にする事を目的とする。
【課題を解決するための手段】
【０００５】
本発明の請求項１の構成は、マット本体表面の長手方向に複数のエアーバッグを並設配置し、これらのエアーバッグにホースを接続し、これらホースによりエアーバッグ内に空気を給排気して膨張収縮を行うものにおいて、エアーバッグの並設方向の一端側の左右両端部を固定具により固定すると共に、これら固定部分に近接した左右方向の略中心位置にホースを接続して成るものである。
【０００６】
本発明の請求項２の構成は、請求項１の構成において、エアーバッグを、マット本体の長手方向に並設して一対一体に成型し、これらエアーバッグの区画部分の左右両端部を固定具により固定すると共に、これら固定部分に近接した左右方向の略中心位置にホースを接続して成るものである。
【０００７】
本発明の請求項３の構成は、請求項１〜２の構成において、固定具を着脱自在に構成すると共に、この固定具の固定位置を変えることで、エアーバッグの位置をマット本体の長手方向に調節可能に構成して成るものである。
【発明の効果】
【０００８】
本発明の請求項１に記載の構成により、エアーバッグの膨張時には、エアーバッグのホースを接続した一端側の中心部分から膨張させることで、人体が左右に傾斜することもなく、人体を効果的に押圧してより快適なマッサージを行う事が出来るものである。
【０００９】
本発明の請求項２に記載の構成により、エアーバッグに一対の空気室を一体に形成した場合においても、各空気室を各々の一端側の中心部分より膨張させることで、エアーバッグの膨張収縮時に人体が左右に傾斜することがなく、違和感の少ない効果的なマッサージを行う事が出来るものである。
【００１０】
本発明の請求項３に記載の構成により、エアーバッグの一端側の左右両端部を固定具により着脱自在に固定し、この固定具の着脱によりエアーバッグの位置を調節可能に構成したことで、エアーバッグの位置をマッサージが必要な部分や人体の身長等に合わせて調節し、より快適で効果的なマッサージを行う事が出来るものである。
【発明を実施するための最良の形態】
【００１１】
本発明による実施例を先ず図１に基づき説明すると、１はウレタン等のクッション材から構成したマット本体で、その略中心部の長手方向に収納溝２を一体形成していると共に、上面に表面マット３を積層し、かつこの表面マットの上面に補強布４を被覆固定している。
【００１２】
又、上記マット本体１の人体が上に寝た場合に足側となる後端部左右両端部には、ベース板５を介して例えばウレタン製のコーナー部材６，６を連結配置していると共に、これらコーナー部材の間に樹脂ケースから成る制御ボックス７を配置固定している。
【００１３】
更に、上記マット本体１の中央部には、図２及び図３にても示す様に、ナイロン製表皮材の内側にゴムシートを重ね合わせたシート材８・・を上下一対重ね合わせてその周辺部を熱溶着して内部に空気室９・・を形成した複数のエアーバッグ１０・・，１１を長手方向に並設配置している。
【００１４】
尚、上記図２は図１中のＡ−Ａ断面、図３は同じくＢ−Ｂ断面で、上記エアーバッグ１０・・は、マット本体１の長手方向に上記一対の空気室９・・を一体に並列形成していると共に、これら空気室間の区画部分の周辺左右両端部に上下一対の固定片１２・・，１３・・を一体に突出形成し、一方上記補強布４の固定片１２・・，１３・・対向位置に、左右一対の固定テープ１４，１４を糸１５，１５による縫い合わせ等によって固定し、かつ上記固定片１２・・，１３・・を周知のホック１６・・等の固定具によって固定テープ１４，１４に着脱自在に固定している。
【００１５】
又、上記実施例では、固定テープ１４，１４の外側を糸１５，１５によって補強布４に固定し、これによりエアーバッグ１０・・，１１が膨張しても固定テープ１４，１４が剥れ難くしているが、これに限定されることなく、着脱自在な面テープやホックによって固定テープ１４，１４を固定する様に構成しても良い。
【００１６】
尚、上記ホック１６・・は、図４にて示す様に、一方の固定片１２・・にホックの雌部材１７・・を固定し、他方の固定片１３・・に雄部材１８・・を固定し、上記固定テープ１４，１４に複数の取付孔１９・，２０，２０を穿孔し、これら取付孔内で雄部材１８・・と雌部材１７・・を嵌合することで、エアーバッグ１０・・，１１を着脱可能に固定しているが、これに限定されることなく、樹脂製のボルト−ナットの組合せ等の比較的簡単に着脱が行える固定具を用いても良い。
【００１７】
一方、上記エアーバッグ１１は１個の空気室９を形成し、そのマット本体１の長手方向の一端部左右両側部に上下一対の固定片２１，２２を一体に突出形成し、これらの固定片に固定したホック１６・・を取付孔１９・・内で嵌合することで、上記固定テープ１４，１４に着脱自在に固定している。尚、上記固定片２１，２２は、固定片１２・・，１３・・と同様に上下一対の固定片を備えている。
【００１８】
又、上記エアーバッグ１０・・，１１は、上記固定片１２・・，１３・・，２１，２２に近接位置した略中心部の底面に樹脂製の接続具２３・・を各々固着し、これら接続具にホース２４・・の先端を各々接続し、これらのホースにて空気室９・・内に空気を給排気してエアーバッグ１０・・，１１を膨張収縮させる。
【００１９】
これらの構成により、上記エアーバッグ１０・・，１１の膨張時には、図２にても示す様に、接続具２３・・を固定したマット本体１の長手方向の一端部中央より膨張を開始し、かつ最大膨張時には他端部が大きく上昇することで、収縮時と最大膨張時の落差が大きくなり、人体を効果的に押圧してマッサージ効果を向上させる事が出来ると共に、エアーバッグ１０・・，１１の膨張並びに収縮時には、接続具２３・・を固定した各空気室９・・の一端部中央より左右方向に均等に膨張・収縮を繰り返すことで、人体が傾斜して違和感を与えることもなく、より快適なマッサージを行う事が出来るものである。
【００２０】
更に、上記構成により、接続具２３・・とホース２４・・の接続部分は、図２及び図３にても示す様に、エアーバッグの膨張・収縮に係わらずその高さ位置がほとんど変化しない為、ホース２４・・の変形が少なく、耐久性能を向上する事が出来るものである。
【００２１】
尚、上記ホース２４・・への空気の給排気は、上記制御ボックス７内に収納した図示しない周知のエアーコンプレッサにより行い、このエアーコンプレッサより供給する空気を図示しない切換えバルブを介して各ホース２４・・に適宜切換えて給排気することで、エアーバッグ１０・・，１１を順次繰り返して膨張・収縮させるもので、これらエアーコンプレッサや切換えバルブの制御は、同じく制御ボックス７内に収納配置した制御回路により行う。
【００２２】
又、上記エアーバッグ１０・・，１１は、人体の身長やマッサージを行いたい部分に応じてマット本体１の長手方向に位置を調節することが可能で、その場合、上記ホック１６・・で固定する取付孔１９・・，２０，２０の位置を変えることで、比較的簡単に行う事ができ、これにより、より快適で効果的なマッサージ効果を得る事が出来るものである。
【図面の簡単な説明】
【００２３】
【図１】本発明の実施例を示す斜視図である。
【図２】図１中のＡ−Ａ断面図である。
【図３】図１中のＢ−Ｂ断面図である。
【図４】本発明による要部の実施例を示す斜視図である。
【符号の説明】
【００２４】
１    マット本体
１０  エアーバッグ
１１  エアーバッグ
１２  固定片
１３  固定片
１４  固定テープ
１６  ホック（固定具）
２１  固定片
２２  固定片
２４  ホース
【図１】
2006043058.tif 000003
【図２】
2006043058.tif 000004
【図３】
2006043058.tif 000005
【図４】
2006043058.tif 000006